(57)【特許請求の範囲】
【請求項１】
話者からの音声を放送装置に供給するマイク素子を有するマイク装置であって、
コンピュータ・ネットワークを介してコンピュータから転送されてくる音声データを蓄積するための書き込み・読み出し可能な記憶手段を備え、
前記記憶手段から読み出された前記音声データに対応する音声信号を前記放送装置に供給することができることを特徴とするマイク装置。
【請求項２】
請求項１記載のマイク装置であって、
前記記憶手段が、複数のエリアを有するメモリを備え、もって、それぞれの前記エリアに、前記コンピュータ・ネットワークから送られてくる異なる音声データを蓄積する
ことを特徴とするマイク装置。
【請求項３】
請求項１記載のマイク装置であって、
前記コンピュータ・ネットワークから送られてくる変調された前記音声データを復号して前記記憶手段に供給するとともに、前記記憶手段から読み出された音声データを復号して元の音声信号を再生して前記放送装置に供給する復号部を備える
ことを特徴とするマイク装置。
【請求項４】
ネットワークを介して音声放送を行う放送システムにおいて使用され、話者からの音声を放送装置に供給するマイク素子を有するマイク装置であって、
前記ネットワークを介してコンピュータから転送されてくる音声データを蓄積するための書き込み・読み出し可能な記憶手段を備え、
前記記憶手段から読み出された前記音声データを前記放送システムに供給することができることを特徴とするマイク装置。
【請求項５】
請求項４記載のマイク装置であって、
前記記憶手段が、複数のエリアを有するメモリを備え、もって、それぞれの前記エリアに、前記コンピュータ・ネットワークから送られてくる異なる音声データを蓄積する
ことを特徴とするマイク装置。
【請求項６】
請求項１〜５のいずれか一つに記載のマイク装置であって、
前記音声データが、放送の開始または終了を知らせるチャイム音である
ことを特徴とするマイク装置。
【発明の詳細な説明】
【０００１】
【発明の属する技術分野】
この発明は、ユーザーが所望する音声を放送することを可能にするようネットワークに組み込まれたマイク装置に関する。
【０００２】
【従来の技術】
校内放送などで、放送の開始と終了を知らせるチャイム音を流すことは広く知られている。このチャイム音は、放送機器におけるマイク端末を操作して放送されるが、そのために、音源から発生されたチャイム音をマイク端末に内蔵されたＲＯＭ等のメモリに予め記録しておく必要がある。
【０００３】
ここで問題になるのは、ＲＯＭに記録されたチャイム音はいわゆる固定音声であるということである。したがって、ユーザーがその要望に応じたオリジナルのチャイム音を使用することを希望する場合には、そのユーザーの要望に合うチャイム音を記録したＲＯＭを個別に作成するか、希望に合うチャイム音を生成する音声再生機器を別に用意することが必要になる。しかし、これではコストが増大するばかりでなく、チャイム音作成のために手間と時間をかけなければならなくなる。
【０００４】
勿論、音声ＲＯＭを複数個用意しておくか、大容量のＲＯＭを用意して、複数のチャイム音を記録しておき、ユーザーの要望に応じて更新することは可能であるが、コストが大きくなるばかりでなく、全てのユーザーの要望を満たすことは不可能である。
【０００５】
【発明が解決しようとする課題】
この発明はこうした従来の課題に鑑みて提案されたものであり、この発明の目的は、ネットワークを介して放送用の所望の音声を書き込むことが可能なマイク装置を提供することにある。
【０００６】
【課題を解決するための手段】
上記の目的を達成するため、請求項１の発明は、
話者からの音声を放送装置に供給するマイク素子を有するマイク装置であって、
コンピュータ・ネットワークを介してコンピュータから転送されてくる音声データを蓄積するための書き込み・読み出し可能な記憶手段を備え、
前記記憶手段から読み出された前記音声データに対応する音声信号を前記放送装置に供給することができることを特徴とするマイク装置、
を提供する。
【０００７】
請求項２の発明は、前記記憶手段が、複数のエリアを有するメモリを備え、もって、それぞれの前記エリアに、前記コンピュータ・ネットワークから送られてくる異なる音声データを蓄積することを特徴とする。
【０００８】
請求項３の発明は、前記コンピュータ・ネットワークから送られてくる変調された前記音声データを復号して前記記憶手段に供給するとともに、前記記憶手段から読み出された音声データを復号して元の音声信号を再生して前記放送装置に供給する復号部を備えることを特徴とする。
【０００９】
請求項４の発明は、
ネットワークを介して音声放送を行う放送システムにおいて使用され、話者からの音声を放送装置に供給するマイク素子を有するマイク装置であって、
前記ネットワークを介してコンピュータから転送されてくる音声データを蓄積するための書き込み・読み出し可能な記憶手段を備え、
前記記憶手段から読み出された前記音声データを前記放送システムに供給することができることを特徴とするマイク装置、
を提供する。
【００１０】
請求項５の発明は、請求項４の発明のマイク装置における前記記憶手段が、複数のエリアを有するメモリを備え、もって、それぞれの前記エリアに、前記コンピュータ・ネットワークから送られてくる異なる音声データを蓄積することを特徴とする。
【００１１】
請求項６の発明は、前記音声データが、放送の開始または終了を知らせるチャイム音であることを特徴とする。
【００１２】
【作用】
ユーザーは、所望の音声が放送されるよう、コンピュータで音声データを作成し、作成された音声データを、コンピュータ・ネットワークを介してマイク装置の記憶手段に転送し、そこに蓄積させる。記憶手段に蓄積された音声データは、適宜の時点に読み出され、元の音声信号に変換されて放送される。
【００１３】
【発明の実施の形態】
図１は、この発明に係るマイク装置を組み込んだネットワーク・システムの一つの形態を概略的に示している。図から明らかなように、この発明に係るマイク装置１はローカル・エリア・ネットワーク（ＬＡＮ）２を介して１台のパーソナル・コンピュータ３に接続されている。すなわち、マイク装置１は、ローカル・エリア・ネットワーク２に接続された１つの端末である。
【００１４】
マイク装置１とパーソナル・コンピュータ３との間のデータ伝送の制御には、一般に普及しているＴＣＰ／ＩＰプロトコルを用いることが望ましい。パーソナル・コンピュータ３は、所望の音声データを作成してそのハードディスクに蓄積しておくことができるよう、外部の音源と接続される端子を備えるとともに、その音源からの音声を所望の音声データとして加工してハードディスクに蓄積するためのソフトウェアを備えている。
【００１５】
図１のマイク装置１は、図２に示すように、増幅器およびスピーカを備えた放送装置（図示せず）に話者の放送用音声信号を供給するマイク素子１１を備えるとともに、ローカル・エリア・ネットワーク２と接続されたネットワーク・インターフェース１２と、このネットワーク・インターフェース１２に受信バッファ１３および復号部１４を介して接続されたフラッシュＲＯＭ１５を有する。フラッシュＲＯＭ１５には、エリア選択ボタン１６とディスプレイ１７とが接続されている。
【００１６】
フラッシュＲＯＭ１５は、複数のエリアに分割されており、パーソナル・コンピュータ３からローカル・エリア・ネットワーク２を介して送られてきた音声データは、フラッシュＲＯＭ１５の複数のエリアのうちの一つに書き込まれる。図３は、フラッシュＲＯＭ１５が４個のエリアＡ１〜Ａ４に分割され、それぞれのエリアに異なるチャイム音を生成するための音声データが蓄積されている場合を示している。例えば、エリアＡ１には、放送開始用のチャイム音を生成する音声データが「放送開始（１）」の名称で蓄積され、エリアＡ２には、放送開始（１）の音声データと対をなす放送終了用のチャイム音を生成する音声データが「放送終了（１）」の名称で蓄積されている。
【００１７】
このように、マイク装置１はローカル・エリア・ネットワーク２を介してパーソナル・コンピュータ３に接続されているので、マイク装置１に実装されたフラッシュＲＯＭ１５はパーソナル・コンピュータ３によって書き換えることが可能である。以下、これを実現するための手順を、所望のチャイム音を生成するための音声データをパーソナル・コンピュータ３からフラッシュＲＯＭ１５の一つのエリアに書き込む場合を例にとって、図４により説明する。
【００１８】
まず、ステップＳ１において、マイク装置１の電源スイッチが入れられる。これに応じて、マイク装置１はコネクションの受け入れ状態になる。そこで、ユーザーがフラッシュＲＯＭ１５のエリアのどれにチャイム音の音声データを書き込むか、すなわちエリアのアドレスを指定すると、チャイム音を生成する音声データをパーソナル・コンピュータ３から受信するよう受信バッファ１３が動作可能状態になり、マイク装置１はＴＣＰ／ＩＰプロトコルに準じてデータの待ち受け状態に入る。
【００１９】
次いで、ステップＳ２において、ユーザーはパーソナル・コンピュータ３により、所望のチャイム音を発生するための音声データを予め作成し、その音声データを一つのファイルとしてハードディスクに蓄積しておく。音声データのファイル形式は任意であるが、例えば、一般に利用されているｗａｖファイルであってよい。
【００２０】
マイク装置１へ送る音声データの用意ができると、ステップＳ３において、パーソナル・コンピュータ３に実装された転送ソフトウェアを用いて、ステップＳ１でハードディスクに蓄積した音声ファイルを、マイク装置１に適したファイル形式に変換する。この際に、音声ファイル名とともにネットワーク・アドレス（ＴＣＰ／ＩＰプロトコルであれば、ＩＰアドレス・ポート番号）を指定する。ここで言う、マイク装置１に適したファイル形式とは、例えば、音声ファイルのファイル情報を記述しているヘッダ（ｗａｖファイルの場合には，ｗａｖファイルのヘッダ情報）を削除して、転送すべき音声データを作成する。こうして作成された音声データを例えば帯域分割適応差分パルス符号変調（ＳＢ−ＡＤＰＣＭ）により符号化し、符号化されたデータを転送データとしてバッファに書き込む。なお、転送データの先頭にはデータ長を挿入する。こうしてバッファに書き込まれた転送データは、ステップＳ３において指定したネットワーク・アドレスを有するマイク装置１へＴＣＰ／ＩＰプロトコルに準じて転送される（ステップＳ４）。
【００２１】
パーソナル・コンピュータ３から転送されてきた転送データは、ステップＳ５においてマイク装置１によって受信され、受信された転送データはネットワーク・インターフェース１２を介して受信バッファ１３に書き込まれる。ＴＣＰ／ＩＰプロトコルにおいては、データ転送量が大きい場合には、数回に分けて転送が行われ、受信データの先頭に挿入されているデータ長を参照して受信データ数がカウントされて受信バッファ１３への書き込みが行われる。
【００２２】
次いで、受信バッファ１３に書き込まれたデータは復号部１４に送られて復号され、変調前の音声データが再生される。再生された音声データはフラッシュＲＯＭ１５の指定されたエリアに書き込まれる（ステップＳ６）。書き込みが終了すると受信バッファ１３が解放され、ディスプレイ１７は蓄積された音声データの名称と、その音声データがどのエリアに書き込まれたかを表示する。
【００２３】
こうして、ユーザーはパーソナル・コンピュータ３で作成した所望のチャイム音をローカル・エリア・ネットワーク２を介してマイク装置１へ転送し、マイク装置１のフラッシュＲＯＭ１５に蓄積させることができる。フラッシュＲＯＭ１５は複数のエリアを有するので、ユーザーは複数の異なるチャイム音の音声データを蓄積しておくことが可能になる。そこで、放送を開始するとき、ユーザーはエリア選択ボタン１６を用いて、所望のチャイム音の音声データを蓄積したエリア、例えばエリアＡ１を選択すると、エリアＡ１から「放送開始（１）」という名称の音声データが読み出され、復号部１４で復号されて放送装置に与えられるので、放送の開始を知らせるチャイム音が放送される。放送の終了を知らせる場合も同様である。
【００２４】
以上、この発明に係るマイク装置の一つの実施の形態を説明したが、この発明はこうした実施の形態に限定されるものではない。例えば、パーソナル・コンピュータ３で作成した音声データを書き込むべきフラッシュＲＯＭ１５のエリアを、パーソナル・コンピュータ３からリモートで指定することもできる。また、ローカル・エリア・ネットワーク２の代わりにインターネットを用いてもよい。この場合、ネットワーク・プロトコルとしてＴＣＰ／ＩＰを用いることが望ましい。インターネットを介した更新が可能になり、機器のメンテナンス性も向上するからである。しかし、他のプロトコルを用いることができることは勿論である。
【００２５】
また、フラッシュＲＯＭ１５の代わりに、書き込みと読み出しが可能な任意の記憶媒体を用いることができる。更に、図１には１個のマイク装置と１台のパーソナル・コンピュータとをネットワーク接続した場合を示しているが、これに限定されるものではなく、この発明は、１個のマイク装置と複数台のパーソナル・コンピュータの場合、複数個のマイク装置と１台のパーソナル・コンピュータの場合、複数個のマイク装置と複数台のパーソナル・コンピュータの場合をも含むものとする。
【００２６】
フラッシュＲＯＭ１５に書き込まれるデータは、復号された音声データの代わりに、ネットワークから送られてきた変調されたデータであってもよい。この場合、符号データをそのまま書き込むため、メモリを節約することができる。
【００２７】
さらに、この発明に係るマイク装置を、ネットワークを介して音声放送を行う放送システムに使用してもよい。この場合、放送システムのネットワークとチャイム音の転送に使うネットワークとを共用することができる。また、マイク装置において音声へ復号する必要がなく、放送時においても符号化された音声データをそのまま送信すればよいので、処理が簡単になるという効果を奏する。
【００２８】
【発明の効果】
以上、この発明に係るマイク装置の一つの実施の形態について説明したところから理解されるように、この発明は、書き込み・読み出し可能な記憶手段を備えたマイク装置をコンピュータ・ネットワークに組み込んだので、
（１）既存のコンピュータを用いて所望の音声データを作成し、それをマイク装置に転送して記憶手段に蓄積させることができるので、複数の異なる音声データを容易に且つ特別の機器を用意することなくマイク装置に設定しておくことが可能になる、
（２）マイク装置の記憶手段への音声データの書き込みを、コンピュータ・ネットワークを介してリモートで実施することができ、記憶手段の書き込みが容易である、
（３）複数のマイク装置が設けられている場合であっても、パーソナル・コンピュータで作成した所望の音声データを同時に且つ容易に、所望のマイク装置に転送して書き込むことができ、複数のマイク装置が設けられた場合にも柔軟に対応することができる、
という格別の効果を奏する。
【図面の簡単な説明】
【図１】この発明に係るマイク装置を組み込んだネットワーク・システムの１つの携帯を概略的に示す図である。
【図２】この発明に係るマイク装置の一つの実施の形態の構成を概略的に示す図である。
【図３】図２に示すマイク装置に内蔵されるフラッシュＲＯＭの構成の一例を示す図である。
【図４】図１に示すネットワーク・システムの動作を説明するフロー図である。
【符号の説明】
１：マイク装置、  ２：ローカル・エリア・ネットワーク、  ３：パーソナル・コンピュータ、１１：マイク素子
【図１】
0003640920.tif 000002
【図２】
0003640920.tif 000003
【図３】
0003640920.tif 000004
【図４】
0003640920.tif 000005